(57)【要約】【課題】供給対象へ電圧が供給できない状況の発生を抑制する電源装置を提供する。【解決手段】電源装置１は、バッテリ１０から供給される電圧を調整する第１のスイッチングレギュレータ１１を有するメイン経路と、同じくバッテリ１０から供給される電圧を第１のスイッチングレギュレータ１１の電圧の調整値と同等に調整する第１のシリーズレギュレータ２１を有するサブ経路と、を備える。マイコン３０は、検出されるメイン経路の電圧と、通常検出されるべきメイン経路の電圧とが異なる場合には、バッテリ１０からマイコン３０への電圧の供給をメイン経路からサブ経路に切り替える。【選択図】図１
2015006091.tif 000002
【特許請求の範囲】
【請求項１】
電源の電圧を供給対象に供給する電源装置において、
前記電源から前記供給対象に電圧を供給するメイン経路及びサブ経路と、
前記メイン経路に設けられて前記電源の電圧を調整するメイン電圧調整器と、
前記サブ経路に設けられて前記電源の電圧を調整するサブ電圧調整器と、
前記メイン経路の電圧の検出結果と通常検出されるべき電圧に基づき設定される設定値とを比較し、その比較結果が異なる場合には、比較信号を生成する比較部と、
前記比較信号に基づいて切替信号を生成する信号生成部と、
前記切替信号に基づいて、前記電源から前記供給対象への電圧の供給を前記メイン経路から前記サブ経路に切り替える切替部と、を備える電源装置。
【請求項２】
請求項１に記載の電源装置において、
前記メイン経路における前記メイン電圧調整器の下流側と、前記サブ経路における前記サブ電圧調整器の上流側とが、遮断器を介して接続され、
前記比較部は、前記メイン電圧調整器の下流側の電圧の検出結果と設定値とを比較し、その比較結果が異なる場合には、比較信号を生成し、
前記遮断器は、切替信号に基づいて、オンオフを切り替えるものであって、
前記遮断器は、通常時オンとされている電源装置。
【請求項３】
請求項２に記載の電源装置において、
前記メイン電圧調整器及び前記サブ電圧調整器は、スイッチングレギュレータ及びシリーズレギュレータである電源装置。
【請求項４】
請求項１に記載の電源装置において、
前記メイン経路は、前記電源の電圧を調整する第１のメイン電圧調整器を有する第１のメイン経路、及び前記電源の電圧を前記第１のメイン電圧調整器と異なる電圧に調整する第２のメイン電圧調整器を有する第２のメイン経路を有し、
前記サブ電圧調整器は、前記電源の電圧を、前記第１のメイン電圧調整器が調整する電圧、及び前記第２のメイン電圧調整器が調整する電圧の両方に調整することが可能な可変電圧調整器であって、
前記比較部は、第１及び第２のメイン経路の電圧の検出結果と前記設定値とをそれぞれ比較し、第１のメイン経路の電圧の検出結果と前記設定値とが異なる場合には第１の電圧調整器信号を、第２のメイン経路の電圧の検出結果と前記設定値とが異なる場合には第２の電圧調整器信号を、それぞれ生成し、
前記可変電圧調整器は、前記第１の電圧調整器信号を取得した場合には前記第１のメイン電圧調整器が調整する電圧に、前記第２の電圧調整器信号を取得した場合には前記第２のメイン電圧調整器が調整する電圧に、それぞれ調整する電源装置。
【発明の詳細な説明】
【技術分野】
【０００１】
本発明は、供給対象に電圧を供給する電源装置に関する。
【背景技術】
【０００２】
従来、車両は、制御対象毎に設けられた各種の制御装置と、当該制御装置が駆動するための電圧を供給する電源装置と、を備えている。電源装置は、バッテリと、各種の制御装置に合わせてバッテリの電圧を調整するレギュレータと、を備えている。各種の制御装置は、レギュレータにより適切に調整された電圧が供給されることにより駆動する。
【０００３】
ところで、制御装置は、電源経路が短絡したりバッテリが故障したりする等して電圧の供給が遮断されると制御対象の制御ができない。そこで、特許文献１の電源装置は、メインバッテリとサブバッテリとの２つのバッテリを備えている。これにより、例えばメインバッテリからの供給経路に異常が生じても制御装置は、サブバッテリから電圧が供給されることにより駆動することができる。
【先行技術文献】
【特許文献】
【０００４】
【特許文献１】特開２００９−２５４１８７号公報
【発明の概要】
【発明が解決しようとする課題】
【０００５】
特許文献１のメインバッテリ及びサブバッテリは、同一のレギュレータを介して制御装置と接続されている。このため、レギュレータや、当該レギュレータと制御装置との間の供給経路において異常が生じた場合、制御装置には電圧が供給されない。従ってこの場合、制御装置は、駆動できない。
【０００６】
本発明は、こうした実状に鑑みてなされたものであり、その目的は、供給対象へ電圧が供給できない状況の発生を抑制する電源装置を提供することにある。
【課題を解決するための手段】
【０００７】
上記課題を解決するために、電源の電圧を供給対象に供給する電源装置は、前記電源から前記供給対象に電圧を供給するメイン経路及びサブ経路と、前記メイン経路に設けられて前記電源の電圧を調整するメイン電圧調整器と、前記サブ経路に設けられて前記電源の電圧を調整するサブ電圧調整器と、前記メイン経路の電圧の検出結果と通常検出されるべき電圧に基づき設定される設定値とを比較し、その比較結果が異なる場合には、比較信号を生成する比較部と、前記比較信号に基づいて切替信号を生成する信号生成部と、前記切替信号に基づいて、前記電源から前記供給対象への電圧の供給を前記メイン経路から前記サブ経路に切り替える切替部と、を備えることを要旨とする。
【０００８】
この構成によれば、メイン電圧調整器をはじめとするメイン経路に不具合が発生した場合でも、サブ電圧調整器によって調整された電圧が供給対象に供給される。これにより、供給対象に電圧が供給されなくなることが抑制される。
【０００９】
上記構成において、前記メイン経路における前記メイン電圧調整器の下流側と、前記サブ経路における前記サブ電圧調整器の上流側とが、遮断器を介して接続され、前記比較部は、前記メイン電圧調整器の下流側の電圧の検出結果と設定値とを比較し、その比較結果が異なる場合には、比較信号を生成し、前記遮断器は、切替信号に基づいて、オンオフを切り替えるものであって、前記遮断器は、通常時オンとされていることが好ましい。
【００１０】
この構成によれば、通常時、遮断器がオンとされているので、電圧は、電源からメイン電圧調整器、及び遮断器を経てサブ電圧調整器に供給される。従って、サブ電圧調整器に供給される電圧は、メイン電圧調整器により調整されている。このため、サブ電圧調整器は、電圧の調整量が小さい。このため、サブ電圧調整器にかかる負荷が小さい。
【００１１】
上記構成において、前記メイン電圧調整器及び前記サブ電圧調整器は、スイッチングレギュレータ及びシリーズレギュレータであることが好ましい。
スイッチングレギュレータは、電圧の調整にかかる効率が良いことが公知である。また、シリーズレギュレータは、電圧の調整の精度が良いことが公知である。従って、この構成によれば、電源の電圧は、電圧の調整による損失が少なく、且つ電圧精度の良い状態で供給対象に供給される。
【００１２】
上記構成において、前記メイン経路は、前記電源の電圧を調整する第１のメイン電圧調整器を有する第１のメイン経路、及び前記電源の電圧を前記第１のメイン電圧調整器と異なる電圧に調整する第２のメイン電圧調整器を有する第２のメイン経路を有し、前記サブ電圧調整器は、前記電源の電圧を、前記第１のメイン電圧調整器が調整する電圧、及び前記第２のメイン電圧調整器が調整する電圧の両方に調整することが可能な可変電圧調整器であって、前記比較部は、第１及び第２のメイン経路の電圧の検出結果と前記設定値とをそれぞれ比較し、第１のメイン経路の電圧の検出結果と前記設定値とが異なる場合には第１の電圧調整器信号を、第２のメイン経路の電圧の検出結果と前記設定値とが異なる場合には第２の電圧調整器信号を、それぞれ生成し、前記可変電圧調整器は、前記第１の電圧調整器信号を取得した場合には前記第１のメイン電圧調整器が調整する電圧に、前記第２の電圧調整器信号を取得した場合には前記第２のメイン電圧調整器が調整する電圧に、それぞれ調整することが好ましい。
【００１３】
この構成によれば、２つのメイン電圧調整器に対して１つの可変電圧調整器を設けるだけで、供給対象に電圧が供給されなくなることが抑制される。
【発明の効果】
【００１４】
本発明の電源装置は、供給対象へ電圧が供給できない状況の発生を抑制する効果がある。
【図面の簡単な説明】
【００１５】
【図１】第１の実施形態における電源装置の概略構成を示すブロック図。
【図２】第２の実施形態における電源装置の概略構成を示すブロック図。
【発明を実施するための形態】
【００１６】
（第１の実施形態）
以下、電源装置の第１の実施形態について説明する。
図１に示すように、電源装置１は、バッテリ１０、第１のスイッチングレギュレータ１１、第２のスイッチングレギュレータ１２、第１のシリーズレギュレータ２１、第２のシリーズレギュレータ２２、及びマイクロコンピュータ３０（以下、マイコン３０）、を備えている。
【００１７】
バッテリ１０は、１２ボルト（１２Ｖ）の直流を蓄電する。バッテリ１０は電源に相当する。
第１のスイッチングレギュレータ１１は、バッテリ１０と接続されている。第１のスイッチングレギュレータ１１は、半導体スイッチ素子のデューティー比を用いてバッテリ１０から供給される１２Ｖの電圧を５．６ボルト（５．６Ｖ）に調整する。
【００１８】
第２のスイッチングレギュレータ１２は、バッテリ１０と接続されている。第２のスイッチングレギュレータ１２は、第１のスイッチングレギュレータ１１と同様に半導体スイッチ素子のデューティー比を用いてバッテリ１０から供給される１２Ｖの電圧を２．１ボルト（２．１Ｖ）に調整する。
【００１９】
第１のシリーズレギュレータ２１は、第１のスイッチ４１を介してバッテリ１０と接続されている。第１のスイッチ４１は、オンオフを通じてバッテリ１０から第１のシリーズレギュレータ２１への電圧の供給の有無を切り替える。第１のシリーズレギュレータ２１は、トランジスタを備え、当該トランジスタに電圧を消費させることによりバッテリ１０から供給される１２Ｖの電圧を５ボルト（５Ｖ）に調整する。
【００２０】
また、第１のシリーズレギュレータ２１は、第２のスイッチ４２を介して第１のスイッチングレギュレータ１１と接続されている。第２のスイッチ４２は、オンオフを通じて第１のスイッチングレギュレータ１１から第１のシリーズレギュレータ２１への電圧の供給の有無を切り替える。第１のシリーズレギュレータ２１は、第１のスイッチングレギュレータ１１から供給される５．６Ｖの電圧を５Ｖに調整する。
【００２１】
第２のシリーズレギュレータ２２は、第３のスイッチ４３を介してバッテリ１０と接続されている。第３のスイッチ４３は、オンオフを通じてバッテリ１０から第２のシリーズレギュレータ２２への電圧の供給の有無を切り替える。第２のシリーズレギュレータ２２は、第１のシリーズレギュレータ２１と同様にトランジスタを備え、当該トランジスタに電圧を消費させることによりバッテリ１０から供給される１２Ｖの電圧を１．５ボルト（１．５Ｖ）に調整する。
【００２２】
また、第２のシリーズレギュレータ２２は、第４のスイッチ４４を介して第２のスイッチングレギュレータ１２と接続されている。第４のスイッチ４４は、オンオフを通じて第２のスイッチングレギュレータ１２から第２のシリーズレギュレータ２２への電圧の供給の有無を切り替える。第２のシリーズレギュレータ２２は、第２のスイッチングレギュレータ１２から供給される２．１Ｖの電圧を１．５Ｖに調整する。なお、第１及び第２のスイッチングレギュレータ１１，１２がメイン電圧調整器に、第１及び第２のシリーズレギュレータ２１，２２がサブ電圧調整器に、それぞれ相当する。
【００２３】
マイコン３０は、ダイオード５１及び第５のスイッチ４５を介して第１のスイッチングレギュレータ１１と、第６のスイッチ４６を介して第１のシリーズレギュレータ２１と、それぞれ接続されている。第５のスイッチ４５は、オンオフを通じて第１のスイッチングレギュレータ１１からマイコン３０への電圧の供給の有無を切り替える。第６のスイッチ４６は、オンオフを通じて第１のシリーズレギュレータ２１からマイコン３０への電圧の供給の有無を切り替える。
【００２４】
ダイオード５１は、第１のスイッチングレギュレータ１１からマイコン３０の方向にのみ電流が流れるように整流する。また、整流によって電圧は、５．６Ｖから５Ｖに調整される。
【００２５】
また、マイコン３０は、ダイオード５２及び第７のスイッチ４７を介して第２のスイッチングレギュレータ１２と、第８のスイッチ４８を介して第２のシリーズレギュレータ２２と、それぞれ接続されている。第７のスイッチ４７は、オンオフを通じて第２のスイッチングレギュレータ１２からマイコン３０への電圧の供給の有無を切り替える。第８のスイッチ４８は、オンオフを通じて第２のシリーズレギュレータ２２からマイコン３０への電圧の供給の有無を切り替える。
【００２６】
ダイオード５２は、第２のスイッチングレギュレータ１２からマイコン３０の方向にのみ電流が流れるように整流する。また、整流によって電圧は、２．１Ｖから１．５Ｖに調整される。
【００２７】
なお、第１〜第８のスイッチ４１〜４８は、マイコン３０が生成する切替信号に基づきオンオフを切り替える。第１、第３、第５〜第８のスイッチ４１，４３，４５〜４８は切替部に、第２、第４のスイッチ４２，４４は遮断器に、それぞれ相当する。
【００２８】
以上説明したように、マイコン３０には、第１のスイッチングレギュレータ１１及び第１のシリーズレギュレータ２１から電圧が５Ｖの電圧が、第２のスイッチングレギュレータ１２及び第２のシリーズレギュレータ２２から電圧が１．５Ｖの電圧が、それぞれ供給される。すなわち、マイコン３０は、５Ｖ及び１．５Ｖの電圧が供給されることにより駆動する。
【００２９】
なお、バッテリ１０から第１のスイッチングレギュレータ１１、ダイオード５１、及び第５のスイッチ４５を介してマイコン３０に電圧が供給される経路がメイン経路に、バッテリ１０から第１のスイッチ４１、第１のシリーズレギュレータ２１、及び第６のスイッチ４６を介してマイコン３０に電圧が供給される経路がサブ経路に、それぞれ相当する。また、バッテリ１０から第２のスイッチングレギュレータ１２、ダイオード５２、及び第７のスイッチ４７を介してマイコン３０に電圧が供給される経路がメイン経路に、バッテリ１０から第３のスイッチ４３、第２のシリーズレギュレータ２２、及び第８のスイッチ４８を介してマイコン３０に電圧が供給される経路がサブ経路に、それぞれ相当する。
【００３０】
第１のスイッチングレギュレータ１１とマイコン３０との間には第１のモニタ回路６１が、第２のスイッチングレギュレータ１２とマイコン３０との間には第２のモニタ回路６２が、それぞれ設けられている。マイコン３０は、第１のモニタ回路６１を通じて第１のスイッチングレギュレータ１１の下流側の電圧を、第２のモニタ回路６２を通じて第２のスイッチングレギュレータ１２の下流側の電圧を、それぞれ検出する。
【００３１】
第１のシリーズレギュレータ２１とマイコン３０との間には第３のモニタ回路６３が、第２のシリーズレギュレータ２２とマイコン３０との間には第４のモニタ回路６４が、それぞれ設けられている。マイコン３０は、第３のモニタ回路６３を通じて第１のシリーズレギュレータ２１の下流側の電圧を、第４のモニタ回路６４を通じて第２のシリーズレギュレータ２２の下流側の電圧を、それぞれ検出する。
【００３２】
マイコン３０は、車両の駆動源である図示しないエンジンの始動を制御する始動制御部３１を備えている。始動制御部３１は、５Ｖの電圧が供給されることにより図示しないエンジンの始動を制御する。
【００３３】
また、マイコン３０は、第１〜第４のモニタ回路６１〜６４を通じて検出した各レギュレータ１１，１２，２１，２２の下流側の電圧と、正常時における各レギュレータ１１，１２，２１，２２の下流側の電圧とを比較する比較部３２を備えている。正常時における各レギュレータ１１，１２，２１，２２の下流側の電圧は、比較部３２のメモリ３２ａに記憶されている。比較部３２は、検出した各レギュレータ１１，１２，２１，２２の下流側の電圧と正常時における各レギュレータ１１，１２，２１，２２の下流側の電圧とが異なる場合には、いずれのレギュレータの下流側の電圧が異常かを示す比較信号を生成する。なお、比較部３２は、１．５Ｖの電圧が供給されることにより駆動する。
【００３４】
さらに、マイコン３０は、比較部３２が生成する比較信号に基づいて第１〜第８のスイッチ４１〜４８のオンオフを切り替える切替信号を生成する信号生成部３３を備えている。第１〜第８のスイッチ４１〜４８は、切替信号が入力されると、オンオフを切り替える。なお、信号生成部３３は、電圧が１．５Ｖの電圧が供給されることにより駆動する。
【００３５】
＜電源装置の作用＞
次に、電源装置１の作用について説明する。なお、説明の前提として、第２、第４、第６、及び第８のスイッチ４２，４４，４６，４８はオン、第１、第３、第５、及び第７のスイッチ４１，４３，４５，４７はオフとされているものとする。また、比較部３２は、第１のモニタ回路６１を通じて正常時の５．６Ｖの電圧を、第２のモニタ回路６２を通じて正常時の２．１Ｖの電圧を、第３のモニタ回路６３を通じて正常時の５Ｖの電圧を、第４のモニタ回路６４を通じて正常時の１．５Ｖの電圧を、それぞれ検出しているものとする。すなわち、マイコン３０には、第１のスイッチングレギュレータ１１及び第１のシリーズレギュレータ２１によって５Ｖに調整された電圧と、第２のスイッチングレギュレータ１２及び第２のシリーズレギュレータ２２によって１．５Ｖに調整された電圧とが供給されている。なお、スイッチングレギュレータは、電圧の調整効率が良いことが公知である。また、シリーズレギュレータは、電圧の調整精度が良いことが公知である。すなわち、バッテリ１０の電圧は、電圧の調整による熱損失が少なく、且つ電圧精度の良い状態でマイコン３０に供給されている。
【００３６】
第１のスイッチングレギュレータ１１に不具合が発生した場合、比較部３２は、第１のモニタ回路６１を通じて５．６Ｖの電圧を検出できなくなる。従って、比較部３２は、検出した第１のスイッチングレギュレータ１１の下流側の電圧と、メモリ３２ａに記憶されている正常時における第１のスイッチングレギュレータ１１の下流側の電圧とが異なることを示す比較信号を生成する。信号生成部３３は、当該比較信号を通じて、切替信号を生成し、当該切替信号を第１及び第２のスイッチ４１，４２に送る。従って、第１のスイッチ４１はオフからオンに、第２のスイッチ４２はオンからオフに、それぞれ切り替わる。これにより、バッテリ１０の１２Ｖの電圧は、第１のシリーズレギュレータ２１によって５Ｖに調整されてマイコン３０に供給される。すなわち、マイコン３０の始動制御部３１は、通常時と同様に駆動することができる。
【００３７】
なお、バッテリ１０と第１のシリーズレギュレータ２１との間の回路に不具合が発生した場合、比較部３２は、第３のモニタ回路６３を通じて５Ｖの電圧を検出できなくなる。従って、比較部３２は、検出した第１のシリーズレギュレータ２１の下流側の電圧と、メモリ３２ａに記憶されている第１のシリーズレギュレータ２１の下流側の電圧とが異なることを示す比較信号を生成する。信号生成部３３は、当該比較信号を通じて、切替信号を生成し、当該切替信号を第２、第５及び第６のスイッチ４２，４５，４６に送る。従って、第２、第６のスイッチ４２，４６はオンからオフに、第５のスイッチ４５はオフからオンに、それぞれ切り替わる。これにより、バッテリ１０の１２Ｖの電圧は、第１のスイッチングレギュレータ１１によって５，６Ｖに調整されるとともに、ダイオード５１によって５．６Ｖから５Ｖに調整されて、マイコン３０に供給される。すなわち、マイコン３０の始動制御部３１は、通常時と同様に駆動することができる。
【００３８】
第２のスイッチングレギュレータ１２に不具合が発生した場合、比較部３２は、第２のモニタ回路６２を通じて２．１Ｖの電圧を検出できなくなる。従って、比較部３２は、検出した第２のスイッチングレギュレータ１２の下流側の電圧と、メモリ３２ａに記憶されている第２のスイッチングレギュレータ１２の下流側の電圧とが異なることを示す比較信号を生成する。信号生成部３３は、当該比較信号を通じて、切替信号を生成し、当該切替信号を第３及び第４のスイッチ４３，４４に送る。従って、第３のスイッチ４３はオフからオンに、第４のスイッチ４４はオンからオフに、それぞれ切り替わる。これにより、バッテリ１０の１２Ｖの電圧は、第２のシリーズレギュレータ２２によって１．５Ｖに調整されてマイコン３０に供給される。すなわち、マイコン３０の比較部３２及び信号生成部３３は、通常時と同様に駆動することができる。
【００３９】
なお、バッテリ１０と第２のシリーズレギュレータ２２との間の回路に不具合が発生した場合、比較部３２は、第４のモニタ回路６４を通じて１．５Ｖの電圧を検出できなくなる。従って、比較部３２は、検出した第２のシリーズレギュレータ２２の下流側の電圧と、メモリ３２ａに記憶されている第２のシリーズレギュレータ２２の下流側の電圧とが異なることを示す比較信号を生成する。信号生成部３３は、当該比較結果を通じて、切替信号を生成し、当該切替信号を第４、第７及び第８のスイッチ４４，４７，４８に送る。従って、第４、第８のスイッチ４４，４８はオンからオフに、第７のスイッチ４７はオフからオンに、それぞれ切り替わる。これにより、バッテリ１０の１２Ｖの電圧は、第２のスイッチングレギュレータ１２によって２，１Ｖに調整されるとともに、ダイオード５１によって２．１Ｖから１．５Ｖに調整されて、マイコン３０に供給される。すなわち、マイコン３０の比較部３２及び信号生成部３３は、通常時と同様に駆動することができる。
【００４０】
以上詳述したように、本実施形態によれば、以下に示す効果が得られるようになる。
（１）マイコン３０は、第１のスイッチングレギュレータ１１、ダイオード５１、及び第５のスイッチ４５を介してバッテリ１０と接続されている。これにより、マイコン３０には５Ｖに調整された電圧が供給される。また、マイコン３０は、第１のスイッチ４１、及び第１のシリーズレギュレータ２１を介してバッテリ１０と接続されている。これにより、マイコン３０には５Ｖに調整された電圧が供給される。そして、第１のスイッチングレギュレータ１１に不具合が発生した場合には第１のシリーズレギュレータ２１によって調整されたバッテリ１０の電圧を、第１のシリーズレギュレータ２１に不具合が発生した場合には第１のスイッチングレギュレータ１１によって調整されたバッテリ１０の電圧を、それぞれ供給する。これにより、マイコン３０に５Ｖに調整された電圧が供給されなくなることが抑制される。
【００４１】
さらに、マイコン３０は、第２のスイッチングレギュレータ１２、ダイオード５２、及び第７のスイッチ４７を介してバッテリ１０と接続されている。これにより、マイコン３０には１．５Ｖに調整された電圧が供給される。また、マイコン３０は、第３のスイッチ４３、及び第２のシリーズレギュレータ２２を介してバッテリ１０と接続されている。これにより、マイコン３０には１．５Ｖに調整された電圧が供給される。そして、第２のスイッチングレギュレータ１２に不具合が発生した場合には第２のシリーズレギュレータ２２によって調整されたバッテリ１０の電圧を、第２のシリーズレギュレータ２２に不具合が発生した場合には第２のスイッチングレギュレータ１２によって調整されたバッテリ１０の電圧を、それぞれ供給する。これにより、マイコン３０に１．５Ｖに調整された電圧が供給されなくなることが抑制される。
【００４２】
（２）第１のスイッチングレギュレータ１１の下流側と第１のシリーズレギュレータ２１の上流側とを第２のスイッチ４２を介して接続した。そして、通常時、第２のスイッチ４２をオンにした。これにより、通常時、第１のシリーズレギュレータ２１には、第１のスイッチングレギュレータ１１によって調整された電圧が供給されるので、第１のシリーズレギュレータ２１にかかる負荷が抑制される。
【００４３】
また、第２のスイッチングレギュレータ１２の下流側と第２のシリーズレギュレータ２２の上流側とを第４のスイッチ４４を介して接続した。そして、通常時、第４のスイッチ４４をオンにした。これにより、通常時、第２のシリーズレギュレータ２２には、第２のスイッチングレギュレータ１２によって調整された電圧が供給されるので、第２のシリーズレギュレータ２２にかかる負荷が抑制される。
【００４４】
（３）スイッチングレギュレータは、電圧の調整効率が良いことが公知である。また、シリーズレギュレータは、電圧の調整精度が良いことが公知である。すなわち、バッテリ１０の電圧は、電圧が調整されることによる熱損失が少なく、且つ電圧精度の良い状態でマイコン３０に供給される。
【００４５】
（第２の実施形態）
次に、電源装置の第２の実施形態について説明する。なお、説明の便宜上、第１実施形態と同一の部分については同一の符号を付すこととして、その説明を省略する。
【００４６】
図２に示すように、電源装置２は、バッテリ１０、第１のシリーズレギュレータ２１、第２のシリーズレギュレータ２２、マイコン３０、及び可変スイッチングレギュレータ７０を備えている。
【００４７】
第１のシリーズレギュレータ２１は、バッテリ１０と接続されている。第１のシリーズレギュレータ２１は、バッテリ１０から供給される１２Ｖの電圧を５Ｖに調整する。なお、第１のシリーズレギュレータ２１は、第１のメイン電圧調整器に相当する。
【００４８】
第２のシリーズレギュレータ２２は、バッテリ１０と接続されている。第２のシリーズレギュレータ２２は、バッテリ１０から供給される１２Ｖの電圧を１．５Ｖに調整する。なお、第２のシリーズレギュレータ２２は、第２のメイン電圧調整器に相当する。
【００４９】
可変スイッチングレギュレータ７０は、バッテリ１０と接続されている。可変スイッチングレギュレータ７０は、半導体スイッチ素子のデューティー比を用いてバッテリ１０から供給される１２Ｖの電圧を５．６Ｖ若しくは２．１Ｖに調整する。なお、可変スイッチングレギュレータ７０は、マイコン３０が生成する後述の第１の電圧調整器信号に基づき５．６Ｖに、同じくマイコン３０が生成する後述の第２の電圧調整器信号に基づき２．１Ｖに調整する。
【００５０】
マイコン３０は、第１１のスイッチ８１を介して第１のシリーズレギュレータ２１と、第１２のスイッチ８２を介して第２のシリーズレギュレータ２２と、それぞれ接続されている。第１１のスイッチ８１は、オンオフを通じて第１のシリーズレギュレータ２１からマイコン３０への電圧の供給の有無を切り替える。第１２のスイッチ８２は、オンオフを通じて第２のシリーズレギュレータ２２からマイコン３０への電圧の供給の有無を切り替える。
【００５１】
また、マイコン３０は、ダイオード５１及び第１３のスイッチ８３を介して可変スイッチングレギュレータ７０と接続されている。さらに、この経路とは別に、マイコン３０は、ダイオード５２及び第１４のスイッチ８４を介して可変スイッチングレギュレータ７０と接続されている。なお、第１１〜第１４のスイッチ８１〜８４は、マイコン３０が生成する切替信号に基づきオンオフを切り替える。
【００５２】
ダイオード５１は、可変スイッチングレギュレータ７０からマイコン３０の方向にのみ電流が流れるように整流する。また、整流によって電圧は、５．６Ｖから５Ｖに調整される。ダイオード５２は、可変スイッチングレギュレータ７０からマイコン３０の方向にのみ電流が流れるように整流する。また、整流によって電圧は、２．１Ｖから１．５Ｖに調整される。
【００５３】
なお、バッテリ１０から第１のシリーズレギュレータ２１、及び第１１のスイッチ８１を介してマイコン３０に電圧が供給される経路が第１のメイン経路に、バッテリ１０から第２のシリーズレギュレータ２２、及び第１２のスイッチ８２を介してマイコン３０に電圧が供給される経路が第２のメイン経路に、それぞれ相当する。
【００５４】
また、バッテリ１０から可変スイッチングレギュレータ７０、ダイオード５１、及び第１３のスイッチ８３を介してマイコン３０に電圧が供給される経路と、バッテリ１０から可変スイッチングレギュレータ７０、ダイオード５２、及び第１４のスイッチ８４を介してマイコン３０に電圧が供給される経路とがサブ経路に相当する。
【００５５】
第１のシリーズレギュレータ２１とマイコン３０との間には第１１のモニタ回路９１が、第２のシリーズレギュレータ２２とマイコン３０との間には第１２のモニタ回路９２が、それぞれ設けられている。マイコン３０は、第１１のモニタ回路９１を通じて第１のシリーズレギュレータ２１の下流側の電圧を、第１２のモニタ回路９２を通じて第２のシリーズレギュレータ２２の下流側の電圧を、それぞれ検出する。
【００５６】
比較部３２は、第１１及び第１２のモニタ回路９１，９２を通じて検出した各レギュレータ２１，２２の下流側の電圧と、正常時における各レギュレータ２１，２２の下流側の電圧とを比較する。正常時における各レギュレータ２１，２２の下流側の電圧は、比較部３２のメモリ３２ａに記憶されている。比較部３２は、検出した第１のシリーズレギュレータ２１の下流側の電圧と正常時における第１のシリーズレギュレータ２１の下流側の電圧とが異なる場合には、第１のシリーズレギュレータ２１の下流側の電圧が異常であることを示す比較信号及び第１の電圧調整器信号を生成する。また、比較部３２は、検出した第２のシリーズレギュレータ２２の下流側の電圧と正常時における第２のシリーズレギュレータ２２の下流側の電圧とが異なる場合には、第２のシリーズレギュレータ２２の下流側の電圧が異常であることを示す比較信号及び第２の電圧調整器信号を生成する。第１及び第２の電圧調整器信号は、可変スイッチングレギュレータ７０に送られる。
【００５７】
信号生成部３３は、比較部３２が生成する比較信号に基づいて第１１〜第１４のスイッチ８１〜８４のオンオフを切り替える切替信号を生成する。第１１〜第１４のスイッチ８１〜８４は、切替信号が入力されると、オンオフを切り替える。
【００５８】
＜電源装置の作用＞
次に、電源装置２の作用について説明する。なお、説明の前提として、第１１及び第１２のスイッチ８１，８２はオン、第１３及び第１４のスイッチ８３，８４はオフとされているものとする。また、比較部３２は、第１１のモニタ回路９１を通じて正常時の５Ｖの電圧を、第１２のモニタ回路９２を通じて正常時の１．５Ｖの電圧を、それぞれ検出しているものとする。すなわち、マイコン３０には、第１のシリーズレギュレータ２１によって５Ｖに調整された電圧と、第２のシリーズレギュレータ２２によって１．５Ｖに調整された電圧とが供給されている。
【００５９】
第１のシリーズレギュレータ２１に不具合が発生した場合、比較部３２は、第１１のモニタ回路９１を通じて５Ｖの電圧を検出できなくなる。すなわち、マイコン３０が検出した第１のシリーズレギュレータ２１の下流側の電圧と、メモリ３２ａに記憶されている正常時における第１のシリーズレギュレータ２１の下流側の電圧とが異なる。従って、比較部３２は、比較信号及び第１の電圧調整器信号を生成する。
【００６０】
信号生成部３３は、当該比較信号を通じて、切替信号を生成し、当該切替信号を第１１及び第１３のスイッチ８１，８３に送る。従って、第１１のスイッチ８１はオンからオフに、第１３のスイッチ８３はオフからオンに、それぞれ切り替わる。
【００６１】
また、可変スイッチングレギュレータ７０は、第１の電圧調整器信号に基づいて、バッテリ１０から供給される電圧を１２Ｖから５．６Ｖに調整する。５．６Ｖに調整された電圧は、ダイオード５１によって５Ｖに調整される。
【００６２】
これらにより、マイコン３０には電圧が５Ｖの電圧が供給される。すなわち、マイコン３０の始動制御部３１は、通常時と同様に駆動することができる。
また、第２のシリーズレギュレータ２２に不具合が発生した場合、比較部３２は、第１２のモニタ回路９２を通じて１．５Ｖの電圧を検出できなくなる。すなわち、マイコン３０が検出した第２のシリーズレギュレータ２２の下流側の電圧と、メモリ３２ａに記憶されている正常時における第２のシリーズレギュレータ２２の下流側の電圧とが異なる。従って、比較部３２は、比較信号及び第２の電圧調整器信号を生成する。
【００６３】
信号生成部３３は、当該比較信号を通じて、切替信号を生成し、当該切替信号を第１２及び第１４のスイッチ８２，８４に送る。従って、第１２のスイッチ８２はオンからオフに、第１４のスイッチ８４はオフからオンに、それぞれ切り替わる。
【００６４】
また、可変スイッチングレギュレータ７０は、第２の電圧調整器信号に基づいて、バッテリ１０から供給される電圧を１２Ｖから２．１Ｖに調整する。２．１Ｖに調整された電圧は、ダイオード５２によって１．５Ｖに調整される。
【００６５】
これらにより、マイコン３０には電圧が１．５Ｖの電圧が供給される。すなわち、マイコン３０の比較部３２及び信号生成部３３は、通常時と同様に駆動することができる。
以上詳述したように、本実施形態によれば、第１の実施形態の（１）の効果に加えて以下に示す効果が得られるようになる。
【００６６】
（４）第１のシリーズレギュレータ２１が調整する電圧、及び第２のシリーズレギュレータ２２が調整する電圧の両方にダイオードを介して電圧を調整することが可能な可変スイッチングレギュレータ７０を設けた。可変スイッチングレギュレータ７０は、比較部３２が生成する第１及び第２の電圧調整器信号に基づいてバッテリ１０から供給される電圧を調整する。これにより、２つのメイン電圧調整器である第１及び第２のシリーズレギュレータ２１，２２に対して１つの可変スイッチングレギュレータ７０を設けるだけで、マイコン３０に電圧が供給されなくなることが抑制される。
【００６７】
なお、上記実施形態は以下のように変更してもよい。
・上記第１の実施形態において、電源装置１は、第１のスイッチングレギュレータ１１を有するメイン経路及び第１のシリーズレギュレータ２１を有するサブ経路からなる供給経路と、第２のスイッチングレギュレータ１２を有するメイン経路及び第２のシリーズレギュレータ２２を有するサブ経路からなる供給経路との２組の供給経路を備えていた。これら２組の供給経路のうちどちらか１組を省略してもよい。
【００６８】
・上記第１の実施形態において、電源装置１では、第１のスイッチングレギュレータ１１の下流側と第１のシリーズレギュレータ２１の上流側とが第２のスイッチ４２を介して接続されていたが、接続されていなくてもよい。また、第２のスイッチングレギュレータ１２の下流側と第２のシリーズレギュレータ２２の上流側とが第４のスイッチ４４を介して接続されていたが、接続されていなくてもよい。このように構成した場合でも、上記第１の実施形態の（１）の効果を得ることができる。
【００６９】
・上記第２の実施形態において、可変スイッチングレギュレータ７０は、他の電圧調整方式を採用する可変電圧調整器であってもよい。
・上記第１及び第２の実施形態において、第１及び第２のスイッチングレギュレータ１１，１２は、シリーズレギュレータや他の電圧調整方式を採用する電圧調整器であってもよい。また、第１及び第２のシリーズレギュレータ２１，２２は、スイッチングレギュレータや他の電圧調整方式を採用する電圧調整器であってもよい。なお、電圧の調整値も５Ｖ、１．５Ｖに限らず、任意に設定することができる。
【００７０】
・上記第１及び第２の実施形態において、比較部３２は、検出された電圧と通常時に検出されるべき電圧とが異なる場合、切替信号や電圧調整器信号を生成したが、通常時に検出されるべき電圧には範囲を持たせてもよい。
【００７１】
・上記第１及び第２の実施形態において、マイコン３０は、車両のエンジンの始動を制御したが、マイコン３０の制御対象は、これに限らない。
・上記第１及び第２の実施形態において、電源装置１，２の供給対象は、マイコン３０に限らない。供給対象は、電圧を消費して駆動するものであればよい。また、供給対象は、車両に設けられるものに限らない。
【００７２】
・上記第１及び第２の実施形態において、電源装置１，２の電源は、直流を供給するバッテリ１０であったが、交流を供給するものであってもよい。また、電源装置１，２は、電源を複数備えていてもよい。
【００７３】
・上記第１及び第２の実施形態において、マイコン３０は、比較部３２及び信号生成部３３を備えていたが、これらは、別のマイコンに設けられてもよい。
【符号の説明】
【００７４】
１，２…電源装置、１０…バッテリ（電源）、１１，１２…スイッチングレギュレータ、２１，２２…シリーズレギュレータ、３０…マイクロコンピュータ（供給対象）、３２…比較部、３３…信号生成部、４１〜４８，８１〜８４…スイッチ（切替部、遮断器）、６１〜６４，９１，９２…モニタ回路、７０…可変スイッチングレギュレータ（可変電圧調整器）。
【図１】
2015006091.tif 000003
【図２】
2015006091.tif 000004